(57)【要約】【課題】  建物の床下を収納スペースとして広く利用でき、大量の収納量が確保でき、必要時に容易に収納物を取り出せる床下収納装置を提供すること。【解決手段】  建物の床面１に設けられた床開口部２と、この床開口部２を開閉自在に覆う蓋体３と、床下の空間４に収納される床下収納ボックス５とからなる床下収納装置Ａであって、床開口部２は人７が入って引き出した状態の床下収納ボックス５の物品６の出し入れができる大きさになされ、床開口部２の全周に隣接した床下空間４全てに床下収納ボックス５が設置可能になされている。【選択図】図１
2006152626.tif 000002
【特許請求の範囲】
【請求項１】
建物の床面に設けられた床開口部と、この床開口部を開閉自在に覆う蓋体と、床下の空間に収納される床下収納ボックスとからなる床下収納装置であって、床開口部は人が入って引き出した状態の床下収納ボックスの物品の出し入れができる大きさになされ、床開口部全周に隣接した床下空間全てに床下収納ボックスが設置可能になされていることを特徴とする床下収納装置。
【請求項２】
前記床下収納ボックスの大きさが、床開口部の長手方向の長さの約半分の大きさであることを特徴とする請求項１記載の床下収納装置。
【請求項３】
前記建物の周囲の基礎が断熱になされている基礎断熱の床下であって、床下床面が内装仕上げされていることを特徴とする請求項１又は２記載の床下収納装置。
【発明の詳細な説明】
【技術分野】
【０００１】
本発明は、建物の床下を収納スペースとして広く利用でき、必要時に容易に収納物を取り出せる床下収納装置に関する。
【背景技術】
【０００２】
従来、特許文献１には、各階層を仕切るスラブ上に逆梁を突設し、その逆梁上に床部材を敷設し、その床部材の下に床下収納部を形成してなる建物において、その床部材下に、その床面よりも一段低いスキップフロアーと、引出しの収納できる物品収納部とを設け、物品収納部とスキップフロアーとの境界部に設けた出入り口より、その物品収納部内の引出しをスキップフロアー上に引き出せるようにしたものが記載されている。
【０００３】
また、特許文献２には、建物床面には収納物の出入口を形成する一方、上記床面の下方には軌道を出入口の下方を経るように延びて設け、該軌道には上面が開口されて収納物を収納可能な箱体をその上面開口の一部が出入口に対向するように移動可能に支持するようにしたものが記載されている。
【０００４】
また、特許文献３には、床下に配置された物品収納部に隣接して作業者凹部を形成させた床下収納装置が記載されている。
【０００５】
さらにまた、特許文献４には、床下を有効に利用して収納量を増加させると共に、収納物の収納や取り出し作業も容易な床下収納装置が記載されている。この床下収納ユニットは、床下の空間内に循環型のレールを敷設し、このレール上に収納ボックス又はトレーをモーターで移動可能に複数搭載し、指令に従って床開口の下方に移動させる水平搬送装置と、この床開口を通して収納ボックス又はトレーを上下に移動させる昇降装置とを設けた床下収納ユニットが記載されている。
【特許文献１】特許第３００８２７５号公報
【特許文献２】特開平１０−２３４４８８号公報
【特許文献３】実公昭６２−６７０４４号公報
【特許文献４】特開平０９−２３５８６９号公報
【発明の開示】
【発明が解決しようとする課題】
【０００６】
しかしながら、上記特許文献１記載のような従来技術にあっては、床下収納措置の収納箱体は引出し方式であり、収納操作はスキップフロアー面から行うことができ操作性も良いが、逆梁スラブ構造の建築物に限定されているという問題点があった。
また、特許文献２記載のような従来技術にあっては、床下に箱体を設け、その箱体を軌道に沿って移動できるようになされているので、床下の利用空間が増大し収納量が増加するが、収納体である箱体の開口が上部に限定されているし、取り出しも床面上からに限定されていて作業性が悪いという問題点があった。
【０００７】
また、特許文献３記載のような従来技術にあっては、床下に収納された物品の取り出しのための作業者用の凹部が形成されているので作業性が良好であるが、作業者の凹部が固定されており、周辺の床下を有効利用できないという問題点があった。
さらにまた、特許文献４記載のような従来技術にあっては、床下に循環型のレールを敷設する必要があり、このレール上に搭載する収納ボックス又はトレーには、モーターで移動可能な駆動装置を必要とするため、構造が複雑でコストが高く付くという問題があった。
【０００８】
本発明の課題は、建物の床下を収納スペースとして広く利用でき、大量の収納量が確保でき、必要時に容易に収納物を取り出せる床下収納装置を提供することにある。
【課題を解決するための手段】
【０００９】
請求項１記載の発明は、建物の床面に設けられた床開口部と、この床開口部を開閉自在に覆う蓋体と、床下の空間に収納される床下収納ボックスとからなる床下収納装置であって、床開口部は人が入って引き出した状態の床下収納ボックスの物品の出し入れができる大きさになされ、床開口部全周に隣接した床下空間全てに床下収納ボックスが設置可能になされていることを特徴とする。
【００１０】
上記請求項１記載の発明において、床開口部から人が入って引き出した状態の床下収納ボックスの物品の出し入れができるので、床面は居室と同様の床仕上げ、例えばクッションフロアーになされていると作業する人にとって作業し易く好ましい。
【００１１】
請求項２記載の発明は、請求項１記載の床下収納装置において、前記床下収納ボックスの大きさが、床開口部の長手方向の長さの約半分の大きさであることを特徴とする。
【００１２】
上記請求項２記載の発明において、床下収納ボックスの大きさが、床開口部の長手方向の長さの約半分の大きさであるので、床開口部の長辺方向の一方側に２個、他方側に２個、床開口部の短辺方向の一方側に１個、他方側に１個、の最大６個の床下収納ボックスを設置するとよい。
【００１３】
請求項３記載の発明は、請求項１又は２記載の床下収納装置において、前記建物の周囲の基礎が断熱になされている基礎断熱の床下であって、床下床面が内装仕上げされていることを特徴とする。
【発明の効果】
【００１４】
請求項１記載の発明によると、床開口部は人が入って引き出した状態の床下収納ボックスの物品の出し入れができる大きさになされ、床開口部全周に隣接した床下空間全てに床下収納ボックスが設置可能になされている床下収納装置であるから、建物の床下空間の床開口部周辺全部を収納スペースとして広く利用でき、収納量が増大する。そして、土間床面に降りて物品の取り出しを行うことができ、楽な姿勢で重いものを引き出すことができ、作業しやすい。
【００１５】
請求項２記載の発明によると、前記床下収納ボックスの大きさが、床開口部の長手方向の長さの約半分の大きさなされているので、床下空間の床開口部の長辺方向の一方側に２個、他方側に２個、床開口部の短辺方向の一方側に１個、他方側に１個、の最大６個の床下収納ボックスを設置することができ、床開口部の３倍の広さの床下空間が利用でき収納能力が増大する。
【００１６】
請求項３記載の発明によると、前記建物の周囲の基礎が断熱になされている基礎断熱の床下であって床下床面が内装仕上げされているので、土間床面での断熱・気密工事が不要であり、床下空間は室内と同じ環境を保持することができ、収納する物品の制約がなく、乾物、飲料、洗剤のストックから、書籍、季節物まで幅広く収納することができる。
【発明を実施するための最良の形態】
【００１７】
図１〜図４は、本発明の一実施の形態であって、図１は床下収納装置が設置された斜視図である。図２は図１の床下の平面図である。図３は開口部に人が入って収納物を床下収納ボックスに出し入れしている状態を示す説明図である。図４（ａ）は収納ボックスの斜視図、（ｂ）は収納ボックスの断面図である。
【００１８】
図１において、Ａは床下収納装置であり、この床下収納装置Ａは建物の床面１に設けられた矩形状の開口部２と、この開口部２を開閉できる蓋体３と、床開口部全周に隣接した床下空間４に複数の（最大６個）の床下収納ボックス５とからなっている。
【００１９】
開口部２は、その中に人が入って収納ボックスを引き出した状態で物品の出し入れ作業ができる大きさになされている。開口部２の長手方向の一側には、蓋体３がステー３２により開閉自在に取り付けられている。また、蓋体３の裏面（床下側）には蓋体補強材３１に補強され、蓋体３が閉じた状態で人が載っても十分な強度が得られるようになされている。
【００２０】
蓋体３は複数枚（この場合は２枚）で構成されており、各蓋体３はほぼ四角形になされ、四角形の一辺端縁部の軸を中心にして回動可能になされている。
【００２１】
図２に示すように、開口部２は幅６６４ｍｍ×長さ１３６４ｍｍの大きさであり、床下収納ボックス５は幅６５０ｍｍ×長さ６８０ｍｍ、または幅６５０ｍｍ×長さ５６７ｍｍであるので、長辺側の両側に２個づつ、計４個、短辺側の両側に１個づつ合計６個まで、床下収納ボックス５を設置することができる。
【００２２】
図３に示すように、床下の土間には土間コンクリート４２は周囲の基礎が基礎断熱材４３が取り付けられており、床下床面の土間コンクリート４２の上面は変性シリコン接着剤を使用した内装仕上げ（クッションフロアー仕上げ）になされている。そのため、人７が床下空間４に下りて、収納ボックス５のドロアー５１の把手５２を引出して収納物６を取り出すことができ、楽な姿勢で収納物を取り出すことができ作業性が良い。また、土間コンクリート４２の上面が内装仕上げ（クッションフロアー仕上げ）になされているので、足裏の感触が良く、作業環境に優れている。
【００２３】
図４に示すように、床下収納ボックス５は天板５４、背板５７、側板６０，６０及びドロアー５１で構成され、ドロアー５１は扉５９、把手５２、抽斗側板５８、抽斗背板５６、抽斗底板５５、及びキャスター５３で構成されている。
ドロアー５１の把手５２は図１に示すように、開口部２の向きに有り、ドロアー５１はキャスター５３が付いているので、収納物を取り出すのに簡単にドロアー５１を引き出すことができ、作業性に優れる。
【００２４】
上記のように構成された本実施の形態の床下収納装置Ａによると、以下のような作用効果がある。
【００２５】
（１）床開口部２は人７が入って引き出した状態の床下収納ボックス５の物品６の出し入れができる大きさになされ、床開口部２の全周に隣接した床下空間４全てに床下収納ボックス５が設置可能になされている床下収納装置Ａであるから、建物の床下の床開口部２周辺全部を収納スペースとして広く利用でき、収納量が増大する。そして、土間床面４１に降りて物品６の取り出しを行うことができ、楽な姿勢で重いものを引き出すことができ、作業しやすい。
【００２６】
（２）床下収納ボックス５が、床開口部２側に向いて引出し用把手５２が備えられた抽斗５１方式の床下収納ボックス５であるので、土間床面４１に降りて床下収納ボックス５から抽斗５１（ドロアー）を簡単に引き出すことができ、作業しやすい。
【００２７】
（３）床下収納ボックス５の大きさが、床開口部２の長手方向の長さの約半分の大きさなされているので、床開口部２の長辺方向の一方側に２個、他方側に２個、床開口部２の短辺方向の一方側に１個、他方側に１個、の最大６個の床下収納ボックス５を設置することができ、床開口部２の３倍の広さの空間が利用でき収納能力が増大する。
【００２８】
（４）建物の土間床面４１の周囲の基礎が基礎断熱４３床面であるので、土間床面４１での断熱・気密工事が不要であり、土間床下４１は室内と同じ環境を保持することができ、収納する物品６の制約がなく、乾物、飲料、洗剤のストックから、書籍、季節物まで幅広く収納することができる。また、土間コンクリート４２の上面が内装仕上げ（クッションフロアー仕上げ）になされているので、足裏の感触が良く、作業環境に優れている。
【００２９】
以上、本発明を実施の形態に基づいて説明してきたが、本発明は上記実施の形態に限られるものではなく、本発明の要旨を逸脱しない範囲の設計の変更等があっても本発明に含まれる。例えば、床下収納装置を設置する建物は、ユニット式の建物の他、鉄骨や木質のプレハブ建物、在来工法の木造建物や鉄筋コンクリート建物等であってもよい。
【産業上の利用可能性】
【００３０】
建物の床下の開口部周辺全てを収納スペースとしてフル活用でき、必要時に収納物を容易に出し入れできるので、生活に便利な建物としての利用価値が高い。
【図面の簡単な説明】
【００３１】
【図１】床下収納装置が設置された斜視図である。
【図２】図１の床下の平面図である。
【図３】開口部に人が入って収納物を床下収納ボックスに出し入れしている状態を示す説明図である。
【図４】（ａ）は収納ボックスの斜視図、（ｂ）は収納ボックスの断面図である。
【符号の説明】
【００３２】
Ａ                      床下収納装置
１                      床面
２                      床開口部
３                      蓋体
４                      床下空間
５                      収納ボックス
５１                    抽斗（ドロアー）
５２                    把手
６                      物品
７                      人（作業者）
【図１】
2006152626.tif 000003
【図２】
2006152626.tif 000004
【図３】
2006152626.tif 000005
【図４】
2006152626.tif 000006